(57)【特許請求の範囲】
【請求項１】
電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記カバー体と仕切壁との当接部において、前記カバー体の上方開口部の周縁全周に座面を設け、その座面の中間付近に前記仕切壁の下方開口部分の周縁が当接し、前記仕切壁の下方開口部の周縁両側を挟むように前記座面にリブ体を一体に沿設させた電気掃除機。
【請求項２】
電動送風機を内蔵する本体下と、前記本体下の上方開口部の少なくとも一部を覆う本体上と、前記電動送風機の上方を覆うカバー体と、前記本体下に設けられ前記カバー体の下方開口部分を閉塞する仕切壁を備え、前記仕切壁もしくは前記カバー体の少なくとも一方に前記電動送風機からの排気が排出される排気口を設け、前記カバー体と仕切壁との当接部において、前記カバー体の上方開口部の周縁全周に座面を設け、その座面の中間付近に前記仕切壁の下方開口部分の周縁が当接し、前記仕切壁の下方開口部の周縁両側を挟むように前記座面にリブ体を一体に沿設させた電気掃除機。
【請求項３】
電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記カバー体の上方開口部の側壁周縁の高さを、前記カバー体の後面壁に対してその中心付近の周縁の高さよりも上方に位置するように形成し、前記カバー体の前記後面壁の周縁において、前記カバー体中心付近の周縁の高さに対しその両側の周縁をその一部が側壁の周縁の高さの位置まで傾斜させ、本体上に設けた仕切壁においても同様に前記カバー体の周縁に一致するように前記仕切壁の下方開口部の周縁の高さを合わせた電気掃除機。
【請求項４】
電動送風機を内蔵する本体下と、前記本体下の上方開口部の少なくとも一部を覆う本体上と、前記電動送風機の上方を覆うカバー体と、前記本体下に設けられ前記カバー体の下方開口部分を閉塞する仕切壁を備え、前記仕切壁もしくは前記カバー体の少なくとも一方に前記電動送風機からの排気が排出される排気口を設け、前記カバー体の上方開口部の側壁周縁の高さを、前記カバー体の後面壁に対してその中心付近の周縁の高さよりも上方に位置するように形成し、前記カバー体の前記後面壁の周縁において、前記カバー体中心付近の周縁の高さに対しその両側の周縁をその一部が側壁の周縁の高さの位置まで傾斜させ、本体上に設けた仕切壁においても同様に前記カバー体の周縁に一致するように前記仕切壁の下方開口部の周縁の高さを合わせた電気掃除機。
【請求項５】
電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記電動送風機の後部に防振のためのゴム材で形成した後方防振体を設け、前記後方防振体の外周断面が略コの字状となる溝部を２列並設して設け、カバー体及び本体下に設けた前記電動送風機の後部を保持するための後部保持体にそれぞれ設けた切り欠き部を前記溝部に嵌合させ、前記カバー体には前記後方防振体の上面に引っかける略コの字状のリブを設け、前記略コの字状のリブは前記切り欠き部の上部より後方にズラした電気掃除機。
【請求項６】
電動送風機を内蔵する本体下と、前記本体下の上方開口部の少なくとも一部を覆う本体上と、前記電動送風機の上方を覆うカバー体と、前記本体下に設けられ前記カバー体の下方開口部分を閉塞する仕切壁を備え、前記仕切壁もしくは前記カバー体の少なくとも一方に前記電動送風機からの排気が排出される排気口を設け、前記電動送風機の後部に防振のためのゴム材で形成した後方防振体を設け、前記後方防振体の外周断面が略コの字状となる溝部を２列並設して設け、カバー体及び本体下に設けた前記電動送風機の後部を保持するための後部保持体にそれぞれ設けた切り欠き部を前記溝部に嵌合させ、前記カバー体には前記後方防振体の上面に引っかける略コの字状のリブを設け、前記略コの字状のリブは前記切り欠き部の上部より後方にズラした電気掃除機。
【発明の詳細な説明】
【０００１】
【発明の属する技術分野】
本発明は、さらなる低騒音化を図るとともに、小型・軽量化を図った電気掃除機に関するものである。
【０００２】
【従来の技術】
従来の電気掃除機の防音構成として、例えば特開平１０−１９２９１９７号公報に示されるものがある。以下、図２０を用いて従来の防音構成を説明する。
【０００３】
開口部を有する集塵室１０１及び電動送風機収納室１０２とを並設した下ケース１０３と、前記集塵室１０１の開口部を覆う蓋体１０４及び、前記電動送風機収納室１０２上方の電気掃除機外郭を構成する上ケース１０５を有する電気掃除機であって、電動送風機１０６は電動送風機収納室１０２に収められている。
【０００４】
電動送風機１０６の前部及び後部には防振体１０７ａ、１０７ｂを設け、上ケース１０５及び下ケース１０３より電動送風機１０６の前部及び後部の防振体１０７ａ、１０７ｂに位置して突設させた保持部１０８ａ、１０８ｂにより防振体１０７ａ、１０７ｂを介して電動送風機１０６を保持している。また、電動送風機１０６の外周を覆うように一部開口部を設けた遮音筒１０９を前後の保持部１０８ａ、１０８ｂの間に設けられ、遮音筒１０９の前壁及び後壁は電動送風機に取り付けられている前後の防振体１０７ａ、１０７ｂの外周に嵌合させた構成であり、それにより電動送風機１０６のモーター部１１０全周を覆い、電動送風機１０６から出る音を遮音する防音構成である。
【０００５】
また、遮音筒１０９は一体となった略円筒状（図中）のものか、もしくは略円筒状のものを上下に分割したそれぞれ略半円筒状のカバー体をそれぞれの開口部で嵌合させ、組み合わせることで遮音筒としたもの（図示せず）が一般的である。
【０００６】
【発明が解決しようとする課題】
しかしながら、近年、電気掃除機本体の小型・軽量化が図られている中、上記従来の構成では、本体の小型化に伴い、上ケース１０５及び下ケース１０３と遮音筒１０９との間の空間、また電動送風機１０６を保持するための上ケース１０５及び下ケース１０３に設けた保持部１０８ａ、１０８ｂと遮音筒１０９との間の空間がほとんど確保できなくなっており、その結果、電動送風機１０６の振動により遮音筒１０９とその外郭・リブ等との衝突によるビビリ音が発生し易くなり、さらなる低騒音化を図ることができなかった。
【０００７】
また、遮音筒１０９は電動送風機１０６の外周を覆っているため、遮音筒１０９の径方向の大きさを小さくすると電動送風機１０６との空間が狭まるため、その空間内で排気圧が高まり、吸引効率を下げることになるので、遮音筒１０９はある程度の大きさが必要となり、掃除機本体は径方向に対してそれ以上小さくすることはできず、また、遮音筒１０９が電動送風機１０６を覆う防音構成のために、電動送風機１０６の背面側は遮音筒１０９の背面壁と電動送風機１０６の後部を保持する保持部１０８ｂとが並んで位置する構成であったため掃除機本体の前後方向の寸法も小さくすることができなかった。
【０００８】
本発明は上記課題を解決するものであり、本体を小型・軽量化し、かつ吸引性能を落さずにさらなる低騒音化のための遮音構成をした電気掃除機の本体を提供することを目的とする。
【０００９】
【課題を解決するための手段】
上記目的を達成するために本発明は、電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記カバー体と仕切壁との当接部において、前記カバー体の上方開口部の周縁全周に座面を設け、その座面の中間付近に前記仕切壁の下方開口部分の周縁が当接し、前記仕切壁の下方開口部の周縁両側を挟むように前記座面にリブ体を一体に沿設させることによって、前記仕切壁は従来の電動送風機を覆う遮音筒の略上半分に相当し、仕切壁とカバー体とを当接させることで従来の遮音筒と同様、電動送風機の全周を覆う構成となり、電動送風機の全周を覆うことで電動送風機から出る音は遮蔽され減衰するため、騒音は下がる。また、電動送風機の上方外周を覆うための別部品を設ける必要がないため、その分、掃除機本体の軽量化を図ることができ、電動送風機の上部において別部品の遮音筒を収納するために必要であった空間も削減でき、掃除機本体の小型化も図ることができる。さらに、カバー体と仕切壁との当接部では確実に排気の漏れを別部品を追加せずに抑えることができ、また仕切壁をリブ体で挟んでいるため、排気熱等で前記カバー体が変形し易い状態であっても、変形による当接部のズレは発生しないため、信頼性も向上する。
【００１０】
【発明の実施の形態】
本発明の請求項１記載の発明は、電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記カバー体と仕切壁との当接部において、前記カバー体の上方開口部の周縁全周に座面を設け、その座面の中間付近に前記仕切壁の下方開口部分の周縁が当接し、前記仕切壁の下方開口部の周縁両側を挟むように前記座面にリブ体を一体に沿設させるものであり、それにより、前記カバー体と前記本体上の仕切壁とを当接させることで、従来の遮音筒と同様、電動送風機の外周を覆う構成となり、電動送風機からの音を遮蔽し低騒音化が図れる。また、遮音筒を別部品として設ける必要がないため、掃除機本体の小型・軽量化も図れる。さらに、カバー体と仕切壁との当接部では確実に排気の漏れを別部品を追加せずに抑えることができ、また仕切壁をリブ体で挟んでいるため、排気熱等で前記カバー体が変形し易い状態であっても、変形による当接部のズレは発生しないため、信頼性も向上する。
【００１１】
本発明の請求項２記載の発明は、電動送風機を内蔵する本体下と、前記本体下の上方開口部の少なくとも一部を覆う本体上と、前記電動送風機の上方を覆うカバー体と、前記本体下に設けられ前記カバー体の下方開口部分を閉塞する仕切壁を備え、前記仕切壁もしくは前記カバー体の少なくとも一方に前記電動送風機からの排気が排出される排気口を設け、前記カバー体と仕切壁との当接部において、前記カバー体の上方開口部の周縁全周に座面を設け、その座面の中間付近に前記仕切壁の下方開口部分の周縁が当接し、前記仕切壁の下方開口部の周縁両側を挟むように前記座面にリブ体を一体に沿設させるものであり、それにより、電動送風機、カバー体その上部に本体上を構成していることにより本体上方に対しては、カバー体と本体上の外郭壁からなる２重の遮音壁を構成することになり、本体外郭上方には、騒音は透過しにくく、低騒音化が図れるものである。さらに、カバー体と仕切壁との当接部では確実に排気の漏れを別部品を追加せずに抑えることができ、また仕切壁をリブ体で挟んでいるため、排気熱等で前記カバー体が変形し易い状態であっても、変形による当接部のズレは発生しないため、信頼性も向上する。
【００１２】
本発明の請求項３記載の発明は、電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記カバー体の上方開口部の側壁周縁の高さを、前記カバー体の後面壁に対してその中心付近の周縁の高さよりも上方に位置するように形成し、前記カバー体の前記後面壁の周縁において、前記カバー体中心付近の周縁の高さに対しその両側の周縁をその一部が側壁の周縁の高さの位置まで傾斜させ、本体上に設けた仕切壁においても同様に前記カバー体の周縁に一致するように前記仕切壁の下方開口部の周縁の高さを合わせるものであり、それにより、前記カバー体と前記本体上の仕切壁とを当接させることで、従来の遮音筒と同様、電動送風機の外周を覆う構成となり、電動送風機からの音を遮蔽し低騒音化が図れる。また、遮音筒を別部品として設ける必要がないため、掃除機本体の小型・軽量化も図れる。さらに、本体上を組み込む際、カバー体の後部に形成された前記斜め周縁の端面が誘いとなり、カバー体と本体上の仕切壁との当接する前記斜めの周縁の端面によって、周方向に幾らかズレた前記カバー体を正常の位置に戻し、カバー体と本体上の仕切壁との当接部がズレるのを防止し、排気風の漏れを防止するものである。
【００１３】
本発明の請求項４記載の発明は、電動送風機を内蔵する本体下と、前記本体下の上方開口部の少なくとも一部を覆う本体上と、前記電動送風機の上方を覆うカバー体と、前記本体下に設けられ前記カバー体の下方開口部分を閉塞する仕切壁を備え、前記仕切壁もしくは前記カバー体の少なくとも一方に前記電動送風機からの排気が排出される排気口を設け、前記カバー体の上方開口部の側壁周縁の高さを、前記カバー体の後面壁に対してその中心付近の周縁の高さよりも上方に位置するように形成し、前記カバー体の前記後面壁の周縁において、前記カバー体中心付近の周縁の高さに対しその両側の周縁をその一部が側壁の周縁の高さの位置まで傾斜させ、本体上に設けた仕切壁においても同様に前記カバー体の周縁に一致するように前記仕切壁の下方開口部の周縁の高さを合わせるものであり、それにより、電動送風機、カバー体その上部に本体上を構成していることにより本体上方に対しては、カバー体と本体上の外郭壁からなる２重の遮音壁を構成することになり、本体外郭上方には、騒音は透過しにくく、低騒音化が図れるものである。さらに、本体上を組み込む際、カバー体の後部に形成された前記斜め周縁の端面が誘いとなり、カバー体と本体上の仕切壁との当接する前記斜めの周縁の端面によって、周方向に幾らかズレた前記カバー体を正常の位置に戻し、カバー体と本体上の仕切壁との当接部がズレるのを防止し、排気風の漏れを防止するものである。
【００１４】
本発明の請求項５記載の発明は、電動送風機を内蔵する本体下と、前記本体下の上方開口部の少なくとも一部を覆う本体上と、前記電動送風機の下方を覆うカバー体と、前記本体上に設けられ前記カバー体の上方開口部分を閉塞する仕切壁を備え、前記仕切壁もしくは前記カバー体の少なくとも一方に前記電動送風機からの排気が排出される排気口を設け、前記電動送風機の後部に防振のためのゴム材で形成した後方防振体を設け、前記後方防振体の外周断面が略コの字状となる溝部を２列並設して設け、カバー体及び本体下に設けた前記電動送風機の後部を保持するための後部保持体にそれぞれ設けた切り欠き部を前記溝部に嵌合させ、前記カバー体には前記後方防振体の上面に引っかける略コの字状のリブを設け、前記略コの字上のリブは前記切り欠き部の上部より後方にズラしたものであり、それにより、前記カバー体と前記本体上の仕切壁とを当接させることで、従来の遮音筒と同様、電動送風機の外周を覆う構成となり、電動送風機からの音を遮蔽し低騒音化が図れる。また、遮音筒を別部品として設ける必要がないため、掃除機本体の小型・軽量化も図れる。さらに、電動送風機の下方を覆うカバー体は略コの字状のリブをゴム材の上面に引っ掛かけることで容易に下方向への保持ができ、本体下とカバー体との間の空間で風切音は発生せず、また、ネジ等のカバー体保持のための別部品を追加する必要がなく、部品点数及び組立工数を増やさずに騒音を低減できる。さらには、略コの字状のリブと切り欠き部とをズラしているため、金型構造を複雑にする必要がなくなるものである。
【００１５】
本発明の請求項６記載の発明は、電動送風機を内蔵する本体下と、前記本体下の上方開口部の少なくとも一部を覆う本体上と、前記電動送風機の上方を覆うカバー体と、前記本体下に設けられ前記カバー体の下方開口部分を閉塞する仕切壁を備え、前記仕切壁もしくは前記カバー体の少なくとも一方に前記電動送風機からの排気が排出される排気口を設け、前記電動送風機の後部に防振のためのゴム材で形成した後方防振体を設け、前記後方防振体の外周断面が略コの字状となる溝部を２列並設して設け、カバー体及び本体下に設けた前記電動送風機の後部を保持するための後部保持体にそれぞれ設けた切り欠き部を前記溝部に嵌合させ、前記カバー体には前記後方防振体の上面に引っかける略コの字状のリブを設け、前記略コの字状のリブは前記切り欠き部の上部より後方にズラしたものであり、それにより、電動送風機、カバー体その上部に本体上を構成していることにより本体上方に対しては、カバー体と本体上の外郭壁からなる２重の遮音壁を構成することになり、本体外郭上方には、騒音は透過しにくく、低騒音化が図れるものである。さらに、電動送風機の下方を覆うカバー体は略コの字状のリブをゴム材の上面に引っ掛かけることで容易に下方向への保持ができ、本体下とカバー体との間の空間で風切音は発生せず、また、ネジ等のカバー体保持のための別部品を追加する必要がなく、部品点数及び組立工数を増やさずに騒音を低減できる。さらには、略コの字状のリブと切り欠き部とをズラしているため、金型構造を複雑にする必要がなくなるものである。
【００１６】
【実施例】
（実施例１）
以下、本発明の第１の実施例を図１及び２を用いて説明する。
【００１７】
図において、掃除機本体１（以下本体と称す）は、前部に塵埃を集塵するための集塵室２、後部にモーター部３ａとファン部３ｂよりなる電動送風機３を収納する電動送風機室４を設けている。この集塵室２内には集塵袋５を取付け、蓋体６によって開閉自在に覆われている。電動送風機室４内で、電動送風機３を本体下７と本体上８とで狭持し固定している。
【００１８】
電動送風機３の前部にはその外周面と前面周端とにまたがるように断面Ｌ字形で形成されたリング状でゴム製の前方防振材９を設けており、電動送風機３のモーター部３ａを金属製のカバー体で覆っており、電動送風機３の背面には樹脂性の後方保持体１０をネジ締結により取付け、後方保持体１０は電動送風機３の中心軸に平行に背面方向に突設させた箱状の凸体１１を形成し、その凸体１１形状に一致してその中心部分を穴部１２にし、外形を四角形状にした後部防振体１３は前記凸体１１に前記穴部１２を嵌合させている。
【００１９】
前記後部防振体１３は断面形状が略コの字状となる溝部１４を２列並設して周囲に設けている。前記電動送風機３の前部は本体下７の内壁より突設させた前方リブ体１５で前記前方防振材９を介して支持され、後部は本体下７の内壁より突設した後部保持体１６の上部に切り欠き部１７を設け、前記電動送風機３の背面に取り付けた前記後部防振体１３の後側の溝部１４を切り欠き部１７に嵌合させ、前記電動送風機３の後部は前記後部防振材１３を介して保持している。
【００２０】
本体上８の内壁より前記電動送風機３のモーター部３ａの上方全周を囲うように下方を開口した仕切壁１８を突設し、本体上８より垂下して形成された仕切壁１８の前壁１９の周縁を前記前方防振材９の外周形状に合わせており、前記電動送風機３の前部を前記前方防振材９を介して支持し、前記仕切壁１８の後壁２０には前記後部防振体１３の溝部１４形状に合わせた切り欠き部２１を設けており、その切り欠き部２１を前記溝部１４の前側の溝に嵌合し、前記電動送風機３の後部を前記後部防振体１３を介して保持している。
【００２１】
２２は電動送風機３の下方全周を覆う断面略半円筒状の上方及び前方部を開口したカバー体であり、さらに前記カバー体２２の前方開口部の周縁は前記前方防振材９に当接させており、上方開口部の周縁は本体上８の前記仕切壁１８の両側壁及び背面壁の周縁と当接させている。
【００２２】
前記カバー体２２の背面壁の上部に前記後部防振体１３の前側の溝部１４に一致した切り欠き部２３を設け、その切り欠き部２３を溝部１４に嵌合させ、前記後部防振体１３に設けた係止部２４と前記カバー体２２の背面壁に設けた被係止部２５とを係合し保持している。前記カバー体２２の側壁の底部に排気口２６を設けており、電動送風機３から排出される排気風はこの排気口２６より排出され、前記カバー体２２底部と本体下７の内壁との間の空間で構成される排気通路２７を通って本体上８の後部に設けた排気格子２８より外に排出させる。
【００２３】
上記構成による作用は以下の通りである。
【００２４】
電動送風機３から排出された排気風は、仕切壁１８とカバー体２２とで囲われた空間内に排出され、仕切壁１８、カバー体２２と衝突しながらその空間内の排気圧が高まりカバー体２２の底部に設けた排気口２６より排出されカバー体２２下部の排気通路２７を通って排気格子２８より外に排出されるが、電動送風機３は仕切壁１８とカバー体２２との両側面及び背面との当接部２９と前方防振材９と仕切壁１８の前壁１９との当接面３０、カバー体２２の前方開口部の周縁と前方防振材９との当接面３１とがつながるように構成しているため、電動送風機６から排出された排気風と共に伝搬する電動送風機３からの騒音は仕切壁１８、カバー体２２、前方防振材９の各々の部品の内壁との衝突を繰返して減衰し、電動送風機３のモーター部３ａの全周を覆った仕切壁１８とカバー体２２とは遮音効果を示す。
【００２５】
また、この構成により、従来同様の効果が得られる電動送風機３の全周を覆っていた遮音筒と比べ、遮音筒の外壁と隣設した電動送風機の支持及び保持壁との間、及び遮音筒と本体上の上部内壁との空間がほとんど無いことで生じることのあったビビリ音が、従来の遮音筒の略上半分に相当する仕切壁１８の前壁１９、後壁２０を電動送風機３の前部支持壁及び後部保持壁と兼ねていることで、隣設したリブ、壁等が無いためそういった振動音は発生せず、さらに低騒音化を図ることができる。
【００２６】
電動送風機室４内で電動送風機３の上方を本体上８に一体に形成した仕切壁１８で覆い、電動送風機３の下方はカバー体２２で覆うことで、排気風はカバー体２２と本体下７の底部内壁との間の空間で形成される排気通路２７を通すため、排気通路２７は掃除機本体１の上部外殻より遠い位置を通すため、排気にのった音は掃除機本体１の上方側には透過しにくくなり、使用者の実感として得られる騒音は大きくならない。
【００２７】
また、本体上８に電動送風機３の前後の保持も兼ねた仕切壁１８を一体に形成したことで、電動送風機３の上方外周を覆うための従来の遮音筒の略上半分に相当する別部品を設ける必要がないため、その分、掃除機本体の軽量化を図ることができ、電動送風機３の上部において、従来、別部品の遮音筒を収納するため遮音筒の外周壁と本体上の上方内壁との間で干渉を避けるために設けていた空間も削減でき、掃除機本体１の小型化も図ることができる。
【００２８】
また、上記構成は、従来の遮音筒の略上半分を本体上８に一体に仕切壁１８として形成し、略下半分がカバー体２２に相当するものであるが、その逆の構成で、図３に示すように仕切壁１８を本体下７より突設し、その上部開口部をカバー体２２で覆う構成にした場合、電動送風機３、カバー体２２その上部に本体上８を構成しているため、本体上方に対しては、カバー体２２と本体下７の外郭壁からなる２重の遮音壁を構成することになり、本体外郭上方には、騒音は透過しにくく、低騒音化が図れるものである。
【００２９】
また、その他の実施例を図４を用いて説明する。なお、上記実施例と同一な構成部品については同一符号を付してその説明を省略する。
【００３０】
図４において、電動送風機３の前部は、本体下７より突設させた前方リブ体１５と本体上８より突設させた支持壁３３によって前記電動送風機３の前方に取り付けた前記前方防振体９を介して支持している。また、前記電動送風機３の後部を本体下７より突設させた前記後部保持体１６と本体上８から突設させた保持壁３４とにより前記電動送風機３の背面部に取り付けた後部防振体１３を介して保持している。３５は電動送風機３の側面の外周部分を覆い、外周の一部に電動送風機３からの排気風が排出する排気口３６を設け、前方及び背面側は開口した略円筒形の遮音筒体であり、前記遮音筒体３５は前記電動送風機３の前部の支持壁３３と後部の保持壁３４、後部保持体１６との間に設けている。前記遮音筒体３５の前側の開口部は前記本体上８の支持壁３３及び前記前方防振体９に当設して密閉し、かつ、前記遮音筒体３５の背面開口部は前記本体上８の保持壁３４及び前記本体下７の後部保持体１６の壁に当設して密閉されている。
【００３１】
上記構成による作用は以下の通りである。
【００３２】
電動送風機３を支持及び保持している電動送風機３前部側に設けた前方支持部の支持壁３３、前方防振体９と電動送風機３後部側に設けた保持部の後部保持体１６、保持壁３４と遮音筒体３５の外周壁とが連結して電動送風機３のモーター部３ａの周囲を覆い、電動送風機３から排出される排気風は上記連結した電動送風機３の外周を囲う壁内にこもり、排気風にのって発生する音は壁との衝突によって減衰し、遮蔽されることになり、かつ前記電動送風機３の前後の支持壁３３及び後部保持体１６，保持壁３４を従来の遮音筒の前面壁及び背面壁と兼ねているため掃除機本体の前後方向に対して小型にすることができる。
【００３３】
（実施例２）
次に本発明の第２の実施例を図５、６を用いて説明する。なお、上記実施例と同一な構成部品については同一符号を付してその説明を省略する。
【００３４】
図５において、電動送風機３のモーター部３ａと仕切壁１８及びカバー体２２との間に材質をウレタンで形成した前面及び背面を開口した円筒状の防音材３７をモーター部３ａの全周に配し、本体上８の仕切壁１８と当接するカバー体２２の上方開口部分の両側面部及び後面部の周縁部に座面３８を全周設け、弾性体のパッキン３９をシール部材として前記座面３８に両面テープで貼り付けたものである。
【００３５】
上記構成による作用は以下の通りである。
【００３６】
パッキン３９はカバー体２２と仕切壁１８と間で圧接させているため、圧接部分から排気の漏れは発生せず、電動送風機３の全周は気密に覆われ、仕切壁１８とカバー体２２とでの遮音効果は一層高まる。また、パッキン３９が弾性体であるため、カバー体２２と仕切壁１８との圧接部分で振動によるビビリ音はパッキン３９によって吸収されるためさらに騒音は低減される。
【００３７】
また、座面３８の幅方向の大きさをある程度大きし、それに合わせてパッキン３９の大きさも合わせれば、組立においてカバー体２２が多少ズレても確実に仕切壁１８の周縁と当接するため信頼性はさらに向上する。
【００３８】
図７は他の例を示すもので、図のように、電動送風機３のモーター部３ａの全周を覆う円筒状の防音材３７の一部を折り曲げ、その折り曲げ部４０を仕切壁１８とカバー体２２との両側面側の当接部２９で挟み込んだものである。
【００３９】
上記構成による作用は以下の通りである。
【００４０】
カバー体２２と仕切壁１８との当接部２９に挟んだ防音材３７の折り曲げ部４０がエアータイトを行うシール材の役割を果たすため、別部品として新たにパッキン３９等のシール部材を追加せずに当接部２９を気密にすることができる。
【００４１】
（実施例３）
次に本発明の第３の実施例を図８を用いて説明する。なお、上記実施例と同一な構成部品については同一符号を付してその説明を省略する。
【００４２】
図８において、カバー体２２の上方開口部分の両側面及び背面側の周縁全周に座面３８を設けており、本体上８より突設する仕切壁１８の両側面側及び背面側の周縁は前記座面３８の幅方向のほぼ中心位置で当接させている。その当接部において、仕切壁１８の周縁の両側を挟んでカバー体２２の座面３８全周にリブ体４１を一体に沿設させたものである。
【００４３】
上記構成による作用は以下の通りである。
【００４４】
カバー体２２と仕切壁１８との当接部では２本のリブ体４１で仕切壁１８の端縁を挟むため、当接面積が増えるとともに当接面が折り返した状態となるため、仕切壁１８とカバー体２２とで囲まれた空間内での排気風の圧力ではラビリンス効果によりその当接部分を通過することが出来ないため、当接部２９は別部品を追加せずに気密にすることができ、部品点数及び組立工数を増やさずに騒音を低減することができる。また、電動送風機３の排気風の熱等によりカバー体２２が変形する状態となっても、カバー体２２のリブ体４１が支えとなって、当接部２９が外れることはない。
【００４５】
図９は他の例を示すもので、座面３８のリブ体４１を１本にした場合でもほぼ同様の効果は得られるが、図７に示す構成の方がエアータイトはより確実であり、また、両側のリブ体４１の高さをある程度高くすれば、それぞれのリブ体４１と仕切壁１８との隙間を１ｍｍ以上にしても当接部２９は気密のままであり、その隙間が１〜２ｍｍ確保できることで、仕切壁１８とカバー体２２との接触がないためビビリ音が発生しにくくなり、またカバー体２２が多少周方向にズレが生じても、当接部２９が外れることはなく、信頼性は向上し、組立性も向上する。
【００４６】
（実施例４）
次に本発明の第４の実施例を図１０を用いて説明する。なお、上記実施例と同一な構成部品については同一符号を付してその説明を省略する。
【００４７】
図において、電動送風機３から出る排気風の排出穴４２をモーター部３ａの背面側外周に設けており、前記排出穴４２近傍のカバー体２２の背面部の一部２２ａを外周壁等の肉厚１．２ｍｍに対し３ｍｍと肉厚を５０％以上増したものである。
【００４８】
上記構成による作用は以下の通りである。
【００４９】
電動送風機３から排出された排気風は最初にカバー体１７の厚肉部分（図中の斜線部２２ａ）に衝突する。電動送風機３で発生する音で特に高周波音は耳障りであるが、この高周波音は壁を透過するよりも反射し易い性質のため厚肉にした壁により効果的に遮音される。従って、カバー体背面が排気格子２８と近接していても透過しにくいため、さらに低騒音化を図ることができる。また、カバー体２２は部分的に遮音効果を上げるために厚肉にしたので、あまりカバー体２２の重量を上げることもない。
【００５０】
（実施例５）
次に本発明の第５の実施例を図１１を用いて説明する。なお、上記実施例と同一な構成部品については同一符号を付してその説明を省略する。
【００５１】
図において、カバー体２２の上方開口部分の両側面側の周縁（Ｂ部）の高さを電動送風機３の軸中心よりも高い位置に設定し、背面側の電動送風機３後部の後方保持体１０付近の周縁（Ｃ部）の高さは電動送風機３のほぼ軸中心の位置の高さで、途中より両側面側の周縁の高さの位置まで斜めに傾斜（Ｄ部）させており、仕切壁１８の下方開口部分の周縁の高さをそれに合わせたものである。
【００５２】
上記構成による作用は以下の通りである。
【００５３】
本体下７にカバー体２２を組み込んだ後に本体上８を組み込む際、カバー体２２の斜めの周縁（Ｄ部）が誘いとなり、カバー体２２を本体下７に組み込んだ時に生じるカバー体２２の周方向のズレを正常の位置に戻しながらカバー体２２と本体上８の仕切壁１８とが一致して当接するため、カバー体２２と本体上８の仕切壁１８との当接部２９でズレることはなくなる。
【００５４】
（実施例６）
次に本発明の第６の実施例を図１２を用いて説明する。なお、上記実施例と同一な構成部品については同一符号を付してその説明を省略する。
【００５５】
図において、カバー体２２を電動送風機３の背面に後方保持体１０を締結するネジ４３を用いて、前記後方保持体１０と共に電動送風機３にネジ締めしたものである。
【００５６】
上記構成による作用は以下の通りである。
【００５７】
カバー体２２は後方保持体１０と共に電動送風機３にネジ４３締めにより保持されているため、確実に保持されており、本体１の落下等の衝撃を受けても前記カバー体２２が下方向に落ちることはない。
【００５８】
また、カバー体２２の下面を保持するリブ等を立てる必要はないため、カバー体２２下の排気通路２７内にリブ等の障害物と排気風との衝突によって生じる風切音が発生しないため、さらに低騒音化を図ることができる。
【００５９】
（実施例７）
次に本発明の第７の実施例を図１３、１４を用いて説明する。なお、上記実施例と同一な構成部品については同一符号を付してその説明を省略する。
【００６０】
図１３、１４において、カバー体２２の上方開口部分の背面側の周縁部分に略コの字状のリブ体４４を形成し、前記略コの字状のリブ体４４はカバー体２２背面壁よりも互いの端面がズレた位置に設け、前記リブ体４４を後部防振体１３の上面部分に引っ掛けたものでる。
【００６１】
上記構成による作用は以下の通りである。
【００６２】
略コの字状のリブ体４４の上部下面が後部防振体１３に引っ掛けているため、下方向にカバー体２２がズレたりすることはない。また、カバー体２２の切り欠き部分２３を後部防振体１３の溝部１４にはめ込む際に、後部防振体１３は弾性体であるため、容易に変形し、略コの字状のリブ体４４と切り欠き部２３とでなる開口部分に後部防振体４４を通すようにして容易に組み立てることができるため、ネジ等の締結部品を必要とせず、カバー体２２の組立性が向上する。
【００６３】
また、前記略コの字状のリブ４４はカバー体２２背面壁と端面の位置をズラしているため、金型構造において、キャビとコアとの突き合わせで成形でき、金型構造を複雑にせずにカバー体２２の保持構成を形成することができる。
【００６４】
（実施例８）
次に本発明の第８の実施例を図１５、１６を用いて説明する。なお、上記実施例と同一な構成部品については同一符号を付してその説明を省略する。
【００６５】
図１５、１６に示すように、カバー体２２の外周側部分にはリブ体４５を設け、本体下７の内側底面に吸音を目的とした不織布４６を敷き、前記リブ体４５は不織布４６を介して本体下７に当接している。本体下７より突設され電動送風機３の後部を保持する後部保持体１６は上方を開口して箱状に形成されている。４７は、後部保持体１６の両側面に延接したリブ体で、カバー体２２の背面側の外壁に一体に形成されている。
【００６６】
上記構成による作用は以下の通りである。
【００６７】
カバー体２２はリブ体４５と吸音材からなる不織布４６を介して本体下７とで保持させるため、電動送風機３からカバー体２２に伝わる振動は不織布４６に吸収され本体下７には伝わらなくなり、振動音は外には出ないためさらに騒音を低減することができ、しかも、カバー体２２は外周底部のリブ体４５でその下部を支持するので、ネジ締めや他の部品との係合といった組立工数のロスになる構成がないため、組立性が向上する。
【００６８】
また、カバー体２２の背面側の外壁のリブ体４７は、カバー体２２を本体下７に組み込む際、リブ体４７と後部保持体１６とがガイドの役割をし、容易に位置決めが行え、前記カバー体２２の周方向へのガタつきは前記リブ体４７により規制され、位置を修正する必要はなくなり組立性が向上する。
【００６９】
また、前記カバー体２２のリブ体４７による位置規制で本体上８に設けた仕切壁１８と前記カバー体２２との当接部２９がズレることはなく、当接部２９からの排気の漏れによる遮音効果の損失は発生せず、騒音を低減することができる。また、前記カバー体２２と後部保持体１６との間の隙間を埋めるようにリブ（図示せず）をカバー体２２もしくは後部防振体１３、後部保持体１６の少なくともいずれか１つに設けることで、前記カバー体２２の前側が下方に傾むこうとすると前記リブが支えとなって前記カバー体２２が前かがみとはならず当設部２９において隙間が生じることはない。
【００７０】
また、図１７は他の実施例を示すもので、カバー体２２の背面に一致して、前記カバー体２２の下部に略四角形状の凸体４８を突設し、さらにその端面外周に段差部４９を設け、本体下７より突設し前記段差部４９にゴム材で形成した緩衝材５０を介して嵌合させた保持部５１を設けたものである。
【００７１】
上記構成による作用は以下の通りである。
【００７２】
電動送風機は、カバー体２２と保持部５１とによって保持させており、前記保持部５１は上記後部保持体１３を前方に移動させたことになり、幾らか本体１の前後方向の寸法を小さくすることができる。
【００７３】
（実施例９）
次に本発明の第９の実施例を図１８、１９を用いて説明する。なお、上記実施例と同一な構成部品については同一符号を付してその説明を省略する。
【００７４】
図１８において、電動送風機３の後部を保持する本体下７の内壁より突設し、電動送風機３の背面に取付けた後部防振体１３を囲うように略四角形状にし、上端を開口した後部保持体１６の外壁に、ネジ締付けのためのボス部５２を設け、一方、カバー体２２の背面側の周縁に前記後部保持体１６の上端形状に合わた略コの字状のリブ体５３を設け、その内側の開口５４部分に前記後部防振体１３を挿入し、前記リブ体５３は前記後部保持体１６の上端に当接させ、本体下７のボス部５２と一致したネジ座５５ａをリブ体５３と一体に形成している。
【００７５】
また、仕切壁１８の背面側において、その下方開口部分の周縁の後部防振体１３の溝部１４に嵌合する切り欠き部２１の位置に前記リブ体５３の形状と一致した形状で、その中央は前記後部防振体１３が挿入できる開口部分５６を設けた締結部５７を前記仕切壁１８の外壁より突設し、かつ前記ネジ座５５ａに一致するネジ座５５ｂを前記締結部５７に一体に形成している。前記カバー体２２は前記リブ体５３を前記後部保持体１６と前記締結部５７とで挟み、前記リブ体５３と前記締結部５７の各々のネジ座５５ａ、５５ｂを共に前記ボス部５２にネジ締めにより締結したものである。
【００７６】
上記構成による作用は以下の通りである。
【００７７】
カバー体２２は本体上８、下７に挟まれネジ５８にて共締めさせたことで確実に保持され、衝撃等ではずれることはなく、また、ネジ締めは本体上８と本体下７との固定のためのネジ締めと兼ねているため、部品点数を増やさずにカバー体２２を確実に保持させることができる。
【００７８】
図１９に示すように、特にネジ取付け部を設けずに本体上８と本体下７とで挟んだだけでも、カバー体２２は充分に保持される。
【００７９】
【発明の効果】
請求項１記載の発明によれば、電動送風機の外周を覆うことによる電動送風機からの音を遮蔽効果が生じ、低騒音化が図れ、従来の遮音筒を別部品として設ける必要がないため、掃除機本体の小型・軽量化も図れる。また、カバー体と仕切壁との当接部では確実に排気の漏れを別部品を追加せずに抑えることができる。また、仕切壁をリブで挟んでいるため、カバー体の変形等による当接部のズレは発生しないため、信頼性も向上する。
【００８０】
請求項２記載の発明によれば、電動送風機、カバー体その上部に本体上を構成していることにより本体上方に対しては、カバー体と本体上の外郭壁からなる２重の遮音壁を構成することになり、本体外郭上方には、騒音は透過しにくく、低騒音化が図れるものである。また、カバー体と仕切壁との当接部では確実に排気の漏れを別部品を追加せずに抑えることができる。また、仕切壁をリブで挟んでいるため、カバー体の変形等による当接部のズレは発生しないため、信頼性も向上する。
【００８１】
請求項３、４に記載の発明によれば、カバー体の後部に形成された前記斜め周縁の端面が誘いとなり、カバー体と本体上の仕切壁との当接する前記斜めの周縁の端面によって、周方向に幾らかズレた前記カバー体を正常の位置に戻し、カバー体と本体上の仕切壁との当接部がズレることはなく、排気風の漏れは発生しない。
【００８２】
請求項５、６に記載の発明によれば、電動送風機の下方を覆うカバー体は略コの字状のリブをゴム材の上面に引っ掛かけることで容易に下方向への保持ができ、本体下とカバー体との間の空間で風切音は発生せず、また、ネジ等のカバー体保持のための別部品を追加する必要がなく、部品点数及び組立工数を増やさずに騒音を低減できる。さらには、略コの字状のリブと切り欠き部とをズラしているため、金型構造を複雑にする必要はなくなる。
【図面の簡単な説明】
【図１】  本発明の実施例１を示す電気掃除機の断面図
【図２】  同掃除機の部分断面図
【図３】  他の例を示す電気掃除機の部分断面図
【図４】  他の例を示す電気掃除機の部分断面図
【図５】  本発明の実施例２を示す電気掃除機のＡ−Ａ断面図
【図６】  図５のＣ部過拡大図
【図７】  他の例を示す電気掃除機のＡ−Ａ断面図
【図８】  本発明の実施例３を示す電気掃除機のＡ−Ａ断面図
【図９】  他の例を示す電気掃除機のＡ−Ａ断面図
【図１０】  本発明の実施例４を示すモーター部周辺の斜視図
【図１１】  本発明の実施例５を示す電気掃除機の部分断面図
【図１２】  本発明の実施例６を示す電気掃除機の部分断面図
【図１３】  本発明の実施例７を示す電気掃除機の部分断面図
【図１４】  同実施例のモーター部周辺の斜視図
【図１５】  本発明の実施例８を示す電気掃除機の部分断面図
【図１６】  同実施例のモーター部周辺の斜視図
【図１７】  他の例を示す電気掃除機の部分組立斜視図
【図１８】  本発明の実施例９を示す電気掃除機の部分組立斜視図
【図１９】  他の例を示す電気掃除機の部分組立斜視図
【図２０】  従来の電気掃除機を示す部分断面図
【符号の説明】
１    掃除機本体
２    集塵室
３    電動送風機
３ａ  モーター部
３ｂ  ファン部
４    電気送風機室
５    集塵袋
６    蓋体
７    本体下
８    本体上
９    前方防振材
１０  後方保持体
１１  凸体
１２  穴部
１３  後部防振体
１４  溝部
１５  前方リブ体
１６  後部保持体
１７  切り欠き部
１８  仕切壁
１９  前壁
２０  後壁
２１  切り欠き部
２２  カバー体
２３  切り欠き部
２４  係止部
２５  被係止部
２６  排気口
２７  排気通路
２８  排気格子
２９  当設部
３０  当設面
３１  当設面
３２  前方支持体
３３  支持壁
３４  保持壁
３５  遮音筒体
３６  排気口
３７  防音材
３８  座面
３９  パッキン
４０  折り曲げ部
４１  リブ体
４２  排気穴
４３  ネジ
４４  リブ体
４５  リブ体
４６  不織布
４７  リブ体
４８  凸体
４９  段差部
５０  緩衝材
５１  保持部
５２  ボス部
５３  リブ体
５４  開口
５５  ネジ座
５６  開口部分
５７  締結部
５８  ネジ
【図１】
0004203633.tif 000002
【図２】
0004203633.tif 000003
【図３】
0004203633.tif 000004
【図４】
0004203633.tif 000005
【図５】
0004203633.tif 000006
【図６】
0004203633.tif 000007
【図７】
0004203633.tif 000008
【図８】
0004203633.tif 000009
【図９】
0004203633.tif 000010
【図１０】
0004203633.tif 000011
【図１１】
0004203633.tif 000012
【図１２】
0004203633.tif 000013
【図１３】
0004203633.tif 000014
【図１４】
0004203633.tif 000015
【図１５】
0004203633.tif 000016
【図１６】
0004203633.tif 000017
【図１７】
0004203633.tif 000018
【図１８】
0004203633.tif 000019
【図１９】
0004203633.tif 000020
【図２０】
0004203633.tif 000021